(57)【要約】【課題】ＮＦＣ通信を介したＩＤ認証を行った後に投入したジョブについては、その処理状況に応じたステータスの通知を行う仕組みが求められていた。【解決手段】投入したジョブの終了予測時間を見積もる手段を設け、処理中に遅延が発生した場合に終了予測時間を修正して通知することで、ジョブ処理状況の進捗度と把握を容易にする。【選択図】図２
2015229307.tif 000002
【特許請求の範囲】
【請求項１】
携帯端末から無線通信によりジョブを受け付ける受付手段と、
前記ジョブを解析して前記ジョブの終了予測時間を見積もる見積手段と、
前記見積手段によって見積もられた終了予測時間を前記携帯端末に通知する通知手段と、
前記ジョブの中断が発生する要因が発生した場合に、前記ジョブの前記終了予測時間を再度見積り、変更後の終了予測時間を前記携帯端末に通知するように制御する制御手段と、
を有することを特徴とする画像処理装置。
【請求項２】
前記通知手段は、前記ジョブを識別する識別情報とともに前記終了予測時間を通知することを特徴とする請求項１に記載にお画像処理装置。
【請求項３】
前記ジョブは印刷ジョブであることを特徴とする請求項１又は請求項２に記載の画像処理装置。
【請求項４】
前記ジョブは、割り込みジョブが投入された場合に中断されることを特徴とする請求項１ないし３のいずれか１項に記載の画像処理装置。
【請求項５】
前記携帯端末から前記無線通信によりユーザ情報を読み取り、ユーザを認証する認証手段を更に有することを特徴とする請求項１乃至請求項４の何れか一項に記載の画像処理装置。
【発明の詳細な説明】
【技術分野】
【０００１】
本発明は、近距離通信手段を有する画像処理装置に関する。
【背景技術】
【０００２】
近年、近距離無線通信手段の一つであるＮＦＣ（Ｎｅａｒ  Ｆｉｅｌｄ  Ｃｏｍｍｕｎｉｃａｔｉｏｎ）と呼ばれる技術がスマートフォンやタブレットＰＣといった携帯端末に実装され始めている。ＮＦＣの仕様には３つの機能が規定されている。１つ目は、リーダ／ライタ機能であり、ＮＦＣカードやＮＦＣタグに対するデータのリードおよびライトを実施することができる。２つ目は、ピア・ツー・ピア機能であり、ＮＦＣを介して様々なデータの送受信が可能である。３つ目は、カードエミュレーション機能であり、先のＮＦＣタグと同等の動作を実施することができる。
【０００３】
画像形成装置においても、これまでＲＦＩＤ（Ｒａｄｉｏ  Ｆｒｅｑｕｅｎｃｙ  ＩＤｅｎｔｉｆｉｃａｔｉｏｎ）タグを利用して実現しており、ユーザに対する使用の可否を制御するための認証機能をＮＦＣに置き換えることが可能である。このように、ＮＦＣは様々な機器において利用可能であるため、ＮＦＣを介して送受信されるデータも、電話番号、等の個人情報からＩＰアドレス、等の機器情報といった幅広い種類となる。ＮＦＣの３つの機能は、ＮＦＣ制御ＩＣを実装する機器上で動作するソフトウェアにより自由に切り替えることができる。
【０００４】
また、ＮＦＣ制御ＩＣの消費電力の観点では、リーダ／ライタ機能、ピア・ツー・ピア機能に比べてカードエミュレーション機能動作時の消費電力は大幅に少なくなる。このため、ＮＦＣ制御ＩＣを実装する機器では、機器での消費電力低減を図るためにＮＦＣ制御ＩＣに対してカードエミュレーション機能が動作するように制御する技術が開発されている。
【０００５】
画像処理装置にＮＦＣの技術をとり入れることにより、ユーザがＩＤカードを翳すだけで認証が行えるのでジョブの管理と履歴の把握が容易にできるようになっている。従来の技術として、ステータスを通知する手段を施したものが有る（特許文献１参照）。また、ネットワークを介して画像処理装置へログインした際に実行状況を示す情報画面を示す手段を施したものが有る（特許文献２参照）。さらには、画像処理装置で処理中および処理待ち状態にあるジョブを操作部にそれぞれ一覧表示させる手段を施したものが有る（特許文献３参照）。
【先行技術文献】
【特許文献】
【０００６】
【特許文献１】特開２００３−３３０６３５号公報
【特許文献２】特開２０１２−３９１７９号公報
【特許文献３】特開２００２−１４２０５８号公報
【発明の概要】
【発明が解決しようとする課題】
【０００７】
画像処理装置は内部にＨＤＤを備えることで画像処理データを一時的にＨＤＤへスプールすることが可能となり、コピー、プリント、スキャンなど複数のジョブを受け付けることが可能となっている。しかしながら、ユーザにとっては投入したジョブの処理状況を一目で把握できず、表示される複数のジョブ情報の中から処理中のジョブの進捗度合いを把握するためには煩雑なメニュー画面の操作を逐一行わなくてはいけないという課題があった。またＩＤ認証を行う手段を備えた画像処理装置においても、各ユーザ毎のジョブの管理ができるという利点があるが、過去に遡って全ての履歴が表示されている。このため、処理中のジョブに対して印字終了までどれ位の時間を要するのかを即座に把握することが出来ていなかった。
【０００８】
また、投入したジョブの進捗状況が処理中なのか終了したかの判別は可能であったが、他の要因により遅延が発生した場合には、その原因と内容、遅延したことに伴う終了予測時間の変更を把握することが出来なかった。
【課題を解決するための手段】
【０００９】
本発明に係る画像処理装置の構成は、画像処理装置（１００）において、ユーザのＩＤを無線通信手段（１０７）によって読み取り照合する手段（２０４）、前記画像処理装置を操作するための入力手段としての操作部（１２０）と、投入されたジョブを解析して実行処理時間を見積もる手段（２０２）と、投入されるジョブの処理順番を管理する制御手段（２０１）と、ジョブの処理状況に応じて終了までの時間を見積もり（３０４）、終了時間を通知する（３０５）手段を有することを特徴とする。
【発明の効果】
【００１０】
本発明により、先ずはＮＦＣ搭載機器でのカードエミュレーション機能動作時において、ユーザのＩＤ認証が行われる。  次に、画像処理装置へ投入済のジョブが処理中であるか、終了済であるかに応じて操作部の画面表示に通知する内容が変更されることが可能となる。これにより、ジョブの終了予測時間の把握が即座に可能となる。
【図面の簡単な説明】
【００１１】
【図１】システム全体の構成を示す図である。
【図２】画像形成装置の構成を示すブロック図である。
【図３】基本処理フローを示す図である。
【図４】基本処理フローを示す図である。
【図５】基本処理フローを示す図である。
【図６】図４で示したフローの各処理について時間軸を元に示した図である。
【図７】図５で示したフローの各処理について時間軸を元に示した図である。
【図８】携帯端末の操作部の画面表示の一例を示す図である。
【図９】携帯端末の操作部の画面表示の一例を示す図である。
【図１０】携帯端末の操作部の画面表示の一例を示す図である。
【図１１】携帯端末の操作部の画面表示の一例を示す図である。
【図１２】携帯端末の構成を示す図である。
【図１３】画像形成装置の操作部の構成を示す図である。
【図１４】操作部の画面表示の一例を示す図である。
【図１５】操作部の画面表示の一例を示す図である。
【発明を実施するための形態】
【００１２】
以下、本発明を実施するための最良の形態について図面を用いて説明する。尚、以下の実施形態において示す構成は一例に過ぎず、本発明は図示された構成に限定されるものではない。
【００１３】
［第１実施形態］
図１は、本発明の第１の実施形態におけるシステム全体の構成を示す図である。
【００１４】
本システムは、画像形成装置１００、パーソナルコンピュータ２００、ＩＤ情報を格納しているメモリ３００を内蔵している携帯端末４００、無線ＬＡＮアクセスポイント５００、ローカルエリアネットワーク６００より構成される。画像形成装置１００は、コピー機能、プリント機能、スキャン機能を有しており、更に、こうした機能を使用するユーザの認証機能も具備している。ユーザの認証は、ユーザのＩＤ情報を格納しているメモリ３００を使用する。
【００１５】
画像形成装置１００は、ＮＦＣ通信７００を介してメモリ３００に格納されているユーザのＩＤ情報を受信し、画像形成装置１００内に保持された認証用データベース（図示せず）に基づいてユーザ認証を行う。また別途、ユーザのＩＤ情報を保持し、認証処理を行うサーバ（図示せず）を用意し、ローカルエリアネットワーク６００を介して認証処理を実施する構成でも良い。パーソナルコンピュータ２００は、画像形成装置１００に印刷ジョブを送信し、また、画像形成装置１００が電子化したデータを参照することができる。携帯端末４００は、ＮＦＣ通信７００機能、無線ＬＡＮ通信８００機能、等を具備した持ち運び可能な情報処理端末であり、スマートフォンやタブレットＰＣ、等がこれにあたる。
【００１６】
携帯端末４００は、ＮＦＣ通信７００を介して画像形成装置１００との通信を行うことができる。送受信される情報として、ＩＰアドレスの授受、ユーザＩＤ情報等が挙げられる。また、携帯端末４００は、無線ＬＡＮ通信８００を介して携帯端末４００内の画像データを画像形成装置１００に送信することで、画像データの印刷を実行することができる。無線ＬＡＮアクセスポイント５００は、無線ＬＡＮインタフェースを有する携帯端末４００等とローカルエリアネットワーク６００に接続されている機器との通信を可能とする機能を有する。本発明の第１の実施形態における無線通信インタフェースでは無線ＬＡＮを使用したシステム構成を用いているが、Ｂｌｕｅｔｏｏｔｈ（登録商標）、等のその他の無線通信技術を使用しても良い。ローカルエリアネットワーク６００は、イーサネット（登録商標）、等で実現されるネットワーク接続であり、画像形成装置１００、パーソナルコンピュータ２００、無線ＬＡＮアクセスポイント５００は、ローカルエリアネットワーク６００を介して接続されている。
【００１７】
図２は、本発明の第１の実施形態における画像形成装置１００の構成を示すブロック図である。ＣＰＵ１０１は、画像形成装置全体を制御する中央演算ユニットである。ＲＡＭ１０２は、ＣＰＵ１０１で実行されるプログラムが格納されるメモリであり、また、ＣＰＵ１０１が演算に用いるデータを一時的に格納する為のワークメモリでもある。ＲＯＭ１０３は、画像形成装置１００の起動に用いるプログラムが格納されており、主に画像形成装置１００の起動の際に使用される。ＨＤＤ１０４は、画像形成装置１００の制御に関するソフトウェアや各種設定、保存された文書等を格納するハードディスクドライブ（ＨＤＤ）である。操作部１２０は、画像形成装置１００とユーザ間での情報の入出力を行う。
【００１８】
操作部Ｉ／Ｆ１０５は、操作部１２０に対するインタフェースであり、操作部１２０に入力および出力したいデータを中継する。ネットワークＩ／Ｆ１０６は、ローカルエリアネットワーク６００を介して外部機器とのデータの送受信を行うためのインタフェースである。ＮＦＣ制御部１０７は、ＮＦＣ通信を行うための制御を行う。フラッシュＲＯＭ１２７は、ＮＦＣ制御部１０７に接続され、ＮＦＣ制御部１０７で取り扱われるデータの一時保持に使用される。本発明の第１の実施形態における画像形成装置１００は、ＮＦＣ制御部１０７で取り扱われるデータの一時保持にフラッシュＲＯＭ１２７を使用するが、これに限るものではなく、他の不揮発性メモリや電池とＳＲＡＭとの組み合わせも適用可能である。アンテナ１０８は、ＮＦＣ通信を行うためのアンテナであり、外部機器との間でＮＦＣ通信で発生する電波の送受信を行う。
【００１９】
ユーザＩＤ照合部２０４は前記ＮＦＣ通信で受信したＩＤ情報を既に登録済のユーザＩＤ情報と合致するか否かを識別するための照合部である。電源制御部１２５は、画像形成装置１００の電源を制御するブロックであり、ユーザによる電源スイッチ（図示せず）の操作により電源の制御を行う。電源制御部１２５は、電源スイッチ（図示せず）による電源オフの操作を検出することが可能であり、検出した結果を電源オフ要求としてＣＰＵ１０１に通知することができる。電源部１２６は、画像形成装置１００に対して交流電源を直流電源に変換する電源であり、電源制御部１２５の指示により変換動作をオフ／オンする。
【００２０】
ジョブ管理部２０１は投入されたジョブの履歴や優先順位を決める制御をおこなう。ジョブ解析部２０２は投入されたジョブが要する画像処理の時間、印字処理の時間を見積もる。２０３はリアムタイムクロックであり、ジョブ管理部２０１に対してジョブの投入時間、所要時間をタイムスタンプ形式で通知するものである。ＣＰＵ１０１、ＲＡＭ１０２、ＲＯＭ１０３、ＨＤＤ１０４、操作部Ｉ／Ｆ１０５、ネットワークＩ／Ｆ１０６、ＮＦＣ制御部１０７および電源制御部１２５は、システムバス１１４を介して接続されている。イメージバスＩ／Ｆ１０９は、システムバス１１４と画像処理を担当する各ブロックを接続している画像バス１１５との中継、データ構造の変換を担う。
【００２１】
画像バス１１５には、ＲＩＰ１１０、デバイスＩ／Ｆ１１１、プリンタ画像処理部１１２、スキャナ画像処理部１１３が接続されている。ＲＩＰ１１０は、ラスタイメージプロセッサ（ＲＩＰ）であり、ページ記述言語（ＰＤＬ）コードやディスプレイリストをビットマップイメージに変換する。デバイスＩ／Ｆ部１１１は、スキャナ部１３０やプリンタ部１４０と画像バス１１５を接続するインタフェースである。デバイスＩ／Ｆ１１１は、スキャナ部１３０から受信した画像データを画像バス１１５に送信するためのタイミング調整と、画像バス１１５からプリンタ部１４０への画像データ送信のためのタイミング調整を行う。スキャナ部１３０は、スキャナセンサーが生成した画像データに対し、画像形成装置１００に応じた補正、解像度変換、等の処理を行う。プリンタ部１４０は、プリント出力する画像データに対し、画像形成装置１００のプリントエンジンに応じた補正、解像度変換、等の処理を行う。
【００２２】
図１２は、第１の実施形態における携帯端末４００の構成を示すブロック図である。ＣＰＵ１２０１は携帯端末を制御する中央演算ユニットである。ＲＡＭ１２０２はＣＰＵ１２０１で実行されるプログラムを格納し、演算に用いるデータを維持的に格納するためのワークメモリである。フラッシュＲＯＭＡ１２０３は、携帯端末４００の制御に用いるプログラムが格納されている。操作部１２０４は携帯端末の操作を行うための操作部であり、例として静電容量方式を用いるタッチパネルである。１２０５は画像を撮影するためのカメラである。１２０６は無線ＬＡＮＩ／Ｆであり、１２０７はアンテナ１２０８を介して近距離無線によるＮＦＣ通信を行うための制御部である。１２１０はＮＦＣ制御部１２０７で取り扱われるデータの一時保持用として使用されるフラッシュＲＯＭＢである。１２１１は電源監視部であり電源部１２１２のバッテリ残量を検知してＣＰＵ１２０１へ通知し、ＣＰＵ１２０１はこれを受けて通常モードか省電力モードかの動作モードの選択をしている。１２０９はシステムバスであり、前記の各制御部、ユニットがデータのやり取りをするために接続されている。
【００２３】
図３は画像処理装置におけるジョブ処理状況を通知する一例を示すフローチャートである。本制御は図１で示したＲＯＭ１０３に格納される制御プログラムに基づいてＣＰＵ１０１が行う処理に対応する。３０１でＮＦＣ制御部１０７が動作モードをリーダ・ライタ、かつ、イニシエータに設定する。アンテナ１０８経由で外部のユーザが携帯端末を翳すと、メモリ１２１０に格納されているユーザＩＤ情報をＮＦＣにより読み取る。次に、ユーザＩＤ照合部２０４が使用権のあるＩＤか否かを照合する。使用権が有るＩＤであると判断されると、ＮＦＣ制御部１０７は画像処理装置１００のＩＰアドレス情報を携帯端末４００に送信する。携帯端末４００は無線ＬＡＮＩ／Ｆ１２０６を介して高速な無線ＬＡＮ通信８００へハンドオーバーし、画像処理装置１００のＩＰアドレスへ印字ジョブとして大量の画像データを送信する。３０２で外部のユーザからジョブが投入されると、２０１ジョブ管理部が３０３でジョブを受け付けたことを示す管理番号を発行する。そして、ジョブ解析部２０２がジョブの内容を解析し、３０４でジョブの処理時間を見積もる。
【００２４】
具体的には、用紙サイズ、用紙の厚み、印字解像度、印字枚数や、折り曲げ工程を含む製本、穴あけなどの後処理の指定の有無を判別し、それに伴うプリンタ部の制御に要する処理時間を予測する。３０５で前記処理時間から見積もった終了時間を前記ユーザの携帯端末ＩＰアドレスへ通知する。携帯端末のＩＰアドレスは３０２でジョブを受信したときに、画像処理装置１００内のネットワークＩ／Ｆ１０６が識別可能である。３０６では３０１のＩＤ認証を行った時点からの時間を計測し、タイマー設定値を上回ったか否かを判断する。上回っている場合には、オートログオフ機能により３０１で認証したＩＤを３０８で無効とする。上回っていない場合には３０７で、アンテナ１０８経由で別のユーザが翳すＩＤカードからユーザ情報をＮＦＣにより読み取ったかどうかをセンスする。別ユーザのＩＤ情報を読み取れた場合は３０７の時点で３０１で実施したユーザＩＤの認証状態を無効とする。いずれの場合も認証状態が無効となるため、再認証を行うには再び３０１で実施した画像処理装置のアンテナ１０８にユーザがＩＤカード３００を翳す行為が必要となる。
【００２５】
図４は図３の３０５で予測した終了時間を超過した要因が発生したときの処理の例を示すフローチャートである。ここでは割り込みジョブを受け付けた場合の処理について示している。同図の処理について４０１から４０４までは図３と同じ処理であるため、差分についてのみ以下に説明を行う。４０４で投入されたジョブの処理時間を見積もった後に、４０５で現在処理中の先行するジョブが有るか否かを判別する。先行するジョブが有る場合には、４０６で処理優先度の比較を行う。先行するジョブよりも優先度が高い場合には、４１１で先行処理中のジョブを中断する。４１２で先行ジョブのユーザＩＤへ終了時間の変更を通知する。
【００２６】
４１３では後続で割り込んでジョブを実行させた後続のユーザＩＤに対して終了時間を通知する。４１４では割り込みジョブをスタートさせる。４１５で割り込みジョブが終了するまでｗａｉｔし、４１６では割り込みジョブが終了すると中断していた先行ジョブのユーザＩＤへ終了時間の更新を通知する。既に４１２で一度終了時間の変更を通知しているが、４１６では時間の精度を高めるために再度終了時間の通知を行うものとする。そして４１７で先行ジョブの再起動を行い、中断していた箇所からジョブを再開させる。
【００２７】
一方、４０６で先行するジョブよりも優先度が低いと判断された場合には、一旦４０７で図３の３０５に相当する終了時間の通知を行う。４０８で先行ジョブが終了するまで待ち状態となり、終了した時点でジョブが実行開始される。４０９ではより精度を高めるために終了時間の通知を行う。また、先の４０５で先行処理中のジョブが無い場合には、４１０で終了予測時間の通知を行う。
【００２８】
図５は図３の３０５で予測した終了時間を超過した要因が発生したときの例を示すフローチャートである。ここではプリンタ部１４０にジョブが中断するようなダウンタイムが発生した場合の処理について示している。同図の処理について５０１から５０５までは図３と同じ処理であるため、差分についてのみ以下に説明を行う。５０６でプリンタ部１４０にジョブが中断するダウンタイムが発生しているかを判断する。発生している場合には５０７でプリンタ本体１４０のステータスをデバイスＩ／Ｆ１１１を介してＣＰＵ１０１が受信し、ダウンタイムの要因を解析する。ダウンタイムが発生する要因としては消耗品の不足と印字が継続できなくなるようなプリンタ部の課題がある。
【００２９】
消耗品の例としては印字用紙、トナー、用紙綴じのためのホチキス針などがある。また、ダウンタイム発生の例としては、パンチ穴開けの用紙屑が満杯になる、あるいは、画像処理装置内の用紙搬送系の途中で紙詰まりが発生する、などがあげられる。５０８では５０５で通知した終了予測時間からの遅延を考慮して修正した時間を通知する。５０９でプリンタ部１４０のダウンタイム要因が解消するまでｗａｉｔする。要因が解消すると５１０で終了が予測可能となるので、再度終了時間の通知を行うものとする。一方、５０６でプリンタ部１４０にジョブが中断するダウンタイムが発生していなければ、５１１でジョブが終了したか否かを判断する。そしてジョブが終了するまでの間に、ダウンタイムが発生しないかどうかを５０６で継続してセンスする。
【００３０】
図６は図４の割り込みジョブが有った場合の処理について時間軸をベースに遅延時間を説明した図である。以下に図４のフローとの対比をしながら各時間における処理について説明を行う。ここでは先行ジョブのユーザＩＤをユーザＡとし、割り込みジョブのユーザＩＤをユーザＢとしている。ｔ６１は図４の４０１でＩＤ認証を行うタイミングであり、ｔ６２にて４０２のジョブ投入と４０３管理番号の発行が行われる。４０４で予測するジョブの終了予測時間はｔ６８である。ｔ６３は３０６の別ＩＤの認証が発生したタイミングであり、ｔ６４は図４の４１１で示したユーザＡのジョブが中断されるタイミングである。
【００３１】
また同時に図４の４１２で示したユーザＡへ終了予測時間ｔ６８が変更となることを通知する。ｔｃｈ６１は先に実行中であったユーザＡのジョブを一時中断し、ユーザＢのジョブを実行するための準備として図１のプリンタ部１４０の切り替えに要する調整時間である。ｔ６５はユーザＢの割り込みジョブ投入が行われた時間であり図４の４１４に相当する。ｔ６６からｔ６５の期間でユーザＢの割り込みジョブが実行され、ｔｃｈ６２はユーザＡのジョブを再開するために要するプリンタ部１４０の調整時間である。ユーザＢの実質的なジョブ処理時間は（ｔ６６−ｔ６５）である。この割り込みジョブに伴うユーザＡの当初のジョブ終了予測からの遅延時間は、ｔｃｈ６１＋（ｔ６６−ｔ６５）＋ｔｃｈ６２となる。
【００３２】
ｔ６７で図４の４１６で示した修正時間をｔ６１０へ変更する通知を行うと同時に、４１７で示す中断していたジョブが再開される。ｔ６９はジョブ終了前に再認証が発生したタイミングである。ｔ６８は割り込みジョブが発生しないとして当初ｔ６２で予測したユーザＡのジョブ終了時間である。実際には遅延要因が発生したために、この時点では未だ処理中となっている。ｔ６９でアンテナ１０８経由で外部のユーザが翳すＩＤカード３００からユーザ情報をＮＦＣにより再度読み取ると、修正した終了予測ｔ６１１より前であるために、操作部１２０には終了予測時刻を表示させる。また、再認証のタイミングがｔ６１２で有る場合には、ジョブが終了予測時刻ｔ６１１を経過しているためにデフォルトの初期画面を操作部１２０に表示させる。
【００３３】
図７は図５の５０６において、プリンタ部１４０のダウンタイムが発生した場合の処理について時間軸をベースに遅延時間を説明した図である。以下に図５のフローとの対比をしながら各時間における処理について説明を行う。ｔ７１は図３の５０１でＩＤ認証を行うタイミングであり、ｔ７２にて５０２のジョブ投入と５０３の管理番号の発行が行われる。５０４で予測するジョブの終了予測時間はｔ７７である。ｔ７７はジョブ開始から終了までの期間に図１のプリンタ部１４０にダウンタイムが発生しないと想定したときの終了予測時間である。
【００３４】
ｔ７３のタイミングでプリンタ部１４０の印字が中断するような１回目のダウンタイムが発生し、ｔ７４のタイミングでその要因が解消されたことを示している。ｔｃｈ７１はｔ７３で発生したダウンタイム要因の解消に要した時間であり、ｔ７４で終了予測時間をｔ７８＝（ｔ７７＋ｔｃｈ７１）に修正して、ジョブを再開する。同様にｔ７５のタイミングでプリンタ部１４０の印字が中断するような２回目のダウンタイムが発生し、ｔ７６のタイミングでその要因が解消されたことを示している。ｔｃｈ７２はｔ７５で発生したダウンタイム要因の解消に要した時間であり、ｔ７５で終了予測時間をｔ７１０＝（ｔ７８＋ｔｃｈ７２）に修正して、ジョブを再開する。ｔ７９ではアンテナ１０８経由で外部のユーザが翳すＩＤカード３００からユーザ情報をＮＦＣにより再度読み取る。
【００３５】
ｔ７９は２回目のＩＤ認証を行っているが、当初の終了予測時間ｔ７７から（ｔｃｈ７１＋ｔｃｈ７２）の遅延が発生したために、この時点では未だ処理中となっている。ｔ７９は修正した終了予測ｔ７１０より前であるために、操作部１２０には終了予測時刻を表示させる。また、再認証のタイミングがｔ７１１で有る場合には、ジョブが終了予測時刻ｔ７１０を経過しているためにデフォルトの初期画面を操作部１２０に表示させる。
【００３６】
図８はＣＰＵ１２０１で示した携帯端末４００の操作部１２０４の表示画面の一例を説明する図である。図８は図４のフロー４０６において図６で示したような割り込みジョブが途中で入り、かつ、ジョブ終了前に再認証を実施したときの表示画面である。ＮＦＣによるＩＤ認証を実施した後に、図４の４１６の内容を通知する例を示したものである。同図において、操作部１２０４はジョブＩＤ、ジョブ管理番号、ジョブを投入した時刻、遅延要因、割り込みジョブの処理時間、ジョブ切り替えに発生した準備時間、および割り込みジョブに伴う遅延時間と修正した終了予測時間を表示する。
【００３７】
図９は図５のフロー５０６において図７で示したようなダウンタイムが有った場合におけるジョブ終了前の再認証を実施したときの表示画面である。ＮＦＣによるＩＤ認証を実施した後に、図５の５１０の内容を通知する例を示したものである。同図において、操作部１４０４はジョブＩＤ、ジョブ管理番号、ジョブを投入した時刻、遅延要因、ダウンタイム時間、復旧までの所要時間、および遅延時間を考慮して修正した終了予測時間を表示する。
【００３８】
図１０は図４のフロー４０５において、ジョブが終了している場合にＩＤ認証を行ったときの初期画面である。操作部１４０４に画像処理装置に実装されている機能毎の操作ボタンを表示する。具体的には、コピー、プリント、スキャン、ＦＡＸ送受信、ＦＡＸ受信したデータトレイ、画像処理装置の機能を表示するインフォメーション、および、図１のＨＤＤ１０４に格納されている保存ファイルの利用のための操作ボタンである。
【００３９】
図１１は図８、図９において、操作部画面にある８０１、９０１ジョブ状況スイッチと並んでいる、８０２、９０２のジョブ履歴スイッチを押下したときの表示画面の例を示すものである。同図において、表示画面上にはジョブ管理番号、ジョブ投入番号、ジョブ開始から終了までの期間に発生した遅延時間、および、終了かジョブオーナーが取り消しを実施したかのステータスの履歴を表示させる。ここではＩＤ認証した以外のユーザジョブについても一覧で表示させる例を示したものである。
【００４０】
［第２実施形態］
第１の実施形態では、ユーザの携帯端末上の表示部にジョブの終了予測時刻を表示させるものであったが、画像処理装置の操作部１２０の液晶画面に表示させることも可能である。
【００４１】
図１３、１４、１５に画像処理装置の操作部１２０の表示画面の例を示す。図１３は図１で示した操作部１２０の詳細構成の一例を説明する図である。同図において、１３０９は電源スイッチと予熱キーの役割を兼ねたものであり、省電力モードからの復帰を行う時に押下する。１３１１はスタートキーであり投入したジョブを実行させるときに押下する。１３１０はストップキーであり、投入したジョブを中断したり中止したりするときに押下するキーである。１３０２はリセットキーであり、ジョブに関する諸々の設定を行った後で押下するとデフォルトの初期設定に戻す機能を有する。
【００４２】
１３０３はユーザモードキーであり、ユーザ毎に基本設定を変更するときに押下する。１３０４は割りこみキーであり実行中のジョブを一時中断して他のジョブを実行させたいときに押下する。１３０７はＮＦＣ通信によりＩＤ認証を行うためのアンテナ図１の１０８であり、内部のＮＦＣ制御部１０７を内蔵している。１３０８はクリアキーであり、テンキー１３０６で入力した数値をクリアするときに押下する。１３０１は液晶表示部であり、後述する図１４、図１５で示す内容を表示する。図１４、図１５、図８で説明した携帯端末４００の操作部１４０４の表示画面の一例を説明する図である。図１４は図９に相当し、図１５は図１０に相当する画面である。表示内容は先に説明をしたものと同等であるために省略する。
【符号の説明】
【００４３】
１００  画像形成装置、２００  パーソナルコンピュータ、
３００  ＩＤ情報を格納のメモリ、４００  携帯端末、
５００  無線ＬＡＮアクセスポイント、６００  ローカルエリアネットワーク、
７００  ＮＦＣ通信、８００  無線ＬＡＮ通信
【図６】
2015229307.tif 000003
【図７】
2015229307.tif 000004
【図１】
2015229307.tif 000005
【図２】
2015229307.tif 000006
【図３】
2015229307.tif 000007
【図４】
2015229307.tif 000008
【図５】
2015229307.tif 000009
【図８】
2015229307.tif 000010
【図９】
2015229307.tif 000011
【図１０】
2015229307.tif 000012
【図１１】
2015229307.tif 000013
【図１２】
2015229307.tif 000014
【図１３】
2015229307.tif 000015
【図１４】
2015229307.tif 000016
【図１５】
2015229307.tif 000017